(57)【要約】【課題】水道メーターの在庫管理業務は、一度に扱う種類、数量等が膨大でそれに伴い照合・認証作業に多大な時間と人手を要し、ヒューマンエラーも起こりやすかった。そのため、作業性に迅速性・確実性を欠いていた。【解決手段】本考案による在庫管理用ハンディターミナルまたは同機能を有する情報端末機にＩＣタグリーダーを増設し、当該メーターにパッシブＩＣタグ１５を取り付けることにより、各メーターの履歴が瞬時に正確に照合・認証が可能となる。また、メーター管理台帳への入力・処理が、迅速・正確に行えるようになり、業務の省力化が促進される。【選択図】図１
2014174160.tif 000002
【特許請求の範囲】
【請求項１】
水道メーターに必要な情報を記憶させたＩＣタグ付き水道メーター。
【請求項２】
請求項１記載の水道メーターに取り付けられたＩＣタグを読み取るものであり、ワンボタン操作で当該メーター情報すべてがディスプレーに写しだされ番号照合、認証ができるＩＣタグリーダ機能を有する在庫管理用ハンディターミナル。
【請求項３】
請求項２記載の在庫管理用ハンディターミナルの情報を自動的にサーバーへ無線にて伝送しメーター在庫管理者がサーバー管理台帳にて処理できるシステム。
【発明の詳細な説明】
【技術分野】
【０００１】
本発明は、水道メーターの入出庫在庫管理の際に、膨大な数のメーター番号の照合を、人力に頼ることなしに、正確・迅速に行い、水道メーターの的確な管理手法を確立して、作業性の向上を図るものである。
【背景技術】
【０００２】
個別の水道メーターについての入出庫管理の現状について、図２により説明する。
新規メーター個々の識別は、メーカー工場で出荷時に、水道事業体の指示により、メーター本体に刻印されるメーター番号（製造番号）５で行われている。
【０００３】
事業体納品時の受け入れ確認作業は、このメーター番号の他に、口径、型式、数量、検満年月、メーカーコード等を「水道メーター送付書」、「水道メーター確認証」に基づき、人力により目視で行っている。
【０００４】
水道メーターは出荷時より、８年以内（検満年月）で交換することが法律で義務付けられており、メーター番号を基に検満年月の管理が厳重になされている。
【０００５】
また、このメーターが水道事業体に納品された後で、各顧客より給水工事の申請がなされたとき、顧客情報を得るために、個別に、水栓番号（所有者番号）６、使用者番号（水道料金支払者）７が付けられる。
【０００６】
この水栓番号６と使用者番号７は直接メーター本体の管理とは関係ないが、転居やメーターの撤去の時は、これらの番号でメーターを識別して管理される。また、口径変更・故障等に起因する都度の取外し、取付け業務が加わり、動態管理が非常に煩雑となっており、人為的なミスも起り、一元化した正確・迅速・簡便な管理が望まれていた。
【先行技術文献】
【特許文献】
【０００７】
【特許文献１】特開２００３−３２３６８６号公報
【発明の概要】
【発明が解決しようとする課題】
【０００８】
事業体に納入されたメーターの照合作業は、メーカーがメーターの製造時にメーター本体１４に刻印した９桁のメーター番号（事業体指定）を目視で確認して行っている。しかし、大都市の事業体では、メーターの品種・数が膨大で、９桁のメーター番号と「水道メーター送付書」等との照合作業に非常に手間取っていた。
【０００９】
また、水道メーターは、製造日より８年以内で交換することが法律で定められており、前述した製造時に付けられるメーター番号（製造番号）５で管理されている。
【００１０】
しかしその後、このメーターを使用するとき、顧客情報を得るために、水栓番号（所有者番号）６、使用者番号（水道料金支払者）７が付けられ、非常にわかりにくく煩雑となり、個々のメータを認識するとき、３通りの個別番号が迅速・正確に認識できるシステムが望まれていた。
【課題を解決するための手段】
【００１１】
本考案は、メーター情報を記憶させたパッシブＩＣタグ１５を水道メーター１４に取付、それを迅速・正確に読み取り、照合・認証するハンディターミナルを考案し、水道メーターの在庫管理業務の迅速性、正確性、合理性を可能としたものである。
【発明の効果】
【００１２】
水道メーターの在庫管理業務は、一度に扱う種類、数量等が膨大でそれに伴い照合・認証作業に多大な時間と人手を要し、ヒューマンエラーも起こりやすかった。そのため、作業性に迅速性・確実性を欠いていた。本考案による在庫管理用ハンディターミナルまたは同機能を有する情報端末機にＩＣタグリーダーを増設し、当該メーターにパッシブＩＣタグ１５を取り付けることにより、各メーターの履歴が瞬時に正確に照合・認証が可能となる。また、メーター管理台帳への入力・処理が、迅速・正確に行えるようになり、業務の省力化が促進される。
【図面の簡単な説明】
【００１３】
【図１】パッシブ（電池レス）ＩＣタグ部。
【図２】水道メーター在庫管理概念図。
【図３】在庫管理用ハンディサーチに組み込まれたＩＣタグリーダ部。
【図４】ＩＣタグ取り付け実施例。
【発明を実施するための形態】
【００１４】
以下、本考案の実施の形態を図面に従って説明する。
図１はパッシブ（電池レス）ＩＣタグ部内部の実施詳細である。ＩＣタグ部は、水道メータ本体の近傍で、見やすい箇所に、容易に取り付けることができる構造としている。更に、メーターを格納するメーターボックスが水没しても支障がないよう防水構造としている。
【００１５】
ＩＣタグ部は、在庫管理用ハンディターミナルまたは同等の機能を有する情報端末器に増設されたリーダ部からの電磁波をＩＣタグＲＦアンテナ１で受信する。
【００１６】
ＩＣタグＲＦアンテナ１で受信された信号は整流回路２によりＤＣ電源となり、ＲＦ送受信回路３と情報記憶回路４を起動させる。
【００１７】
あらかじめ情報記録回路４に記憶されたメーター情報（メーター番号、顧客情報番号、検満年月等）は、ＲＦ送受信回路３を通ってＩＣタグＲＦアンテナ１から、ＩＣタグリーダ部を増設している在庫管理用ハンディターミナルまたは同等の機能を有する情報端末器に送られる。
【００１８】
図３に示すように、この電磁波は、メーター在庫管理用ハンディターミナル又は同等の機能を有する情報端末器に増設されたＩＣタグリーダ部のＲＦアンテナ８で受信される。
【００１９】
受信信号はＲＦ受信検出回路１０でメーターの個別情報を検出し、記憶回路に記憶されると共に、表示回路で表示される。
【００２０】
このように、メーターに取り付けたＩＣタグ１５を読んだとき、自動的に、当該メーターの情報が瞬時に本器のディスプレイに写しだされ、同時に、音・ランプで照合・認証完了を認識でき、ワンボタン操作等で、人力によらず、迅速正確に認証・照合作業を可能にする。また、必要なときに、送信情報回路に新規追加情報を入力設定することにより、ＲＦアンテナ８を通して、ＩＣタグ部の情報記憶回路４に書き加えることもできることを特徴としている。
【符号の説明】
【００２１】
１・・・ＲＦアンテナ
２・・・整流回路
３・・・ＲＦ送受信回路
４・・・情報記憶回路
５・・・メーター番号
６・・・水栓番号（所有者番号）
７・・・使用者番号（水道料金支払者）
８・・・ＲＦアンテナ
９・・・表示回路
１０・・・ＲＦ受信検出回路
１１・・・ＲＦ送信回路
１２・・・送信情報回路
１３・・・ＳＤ記憶回路
１４・・・水道メーター本体
１５・・・ＩＣタグ
【図１】
2014174160.tif 000003
【図２】
2014174160.tif 000004
【図３】
2014174160.tif 000005
【図４】
2014174160.tif 000006